【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
画像形成機のインク装填装置に使用するためのインクスティックであって、
前面と後面と上面とを有するインクスティックボデーであって、該上面が、該前面の上縁から後方にオフセットした前縁と、該後面の上部から少なくとも部分的に後方にオフセットした後縁とを有する、インクスティックボデーと、
前記前面の上縁と前記上面の前縁との間に延在する前部傾斜面と、
前記後面の上縁と前記上面の後縁との間に延在する後部傾斜面であって、該後縁が、インク装填装置の挿入孔キーと相補的であるキーを含む、後部傾斜面と、を包含する、インクスティック。
【請求項２】
請求項１に記載のインクスティックであって、
前記前部傾斜面が、前記インクスティックボデーの長手軸に対して少なくとも４５°である角度に形成される、インクスティック。
【請求項３】
請求項１に記載のインクスティックであって、
更に、前記前部傾斜面上に形成された目印マークを包含する、インクスティック。
【請求項４】
請求項１に記載のインクスティックであって、
前記インクスティックの前記後縁の少なくとも部分的に後方にオフセットした前記部分が、前記キーを含む、インクスティック。
【請求項５】
請求項１に記載のインクスティックであって、
更に、前記インクスティックボデーの底面及び横面の１つ又はそれ以上に沿って少なくとも部分的に延在し、前記インクスティックの長手軸に概ね平行に延在する少なくとも１つのガイドを含む、インクスティック。
【請求項６】
相変化インク画像形成機のインク装填装置にインクスティックを供給する方法であって、
インク装填装置の供給チャネルに第１インクスティックを挿入することと、
前記供給チャネルに第２インクスティックを挿入することと、
前記第１インクスティックの後部傾斜面を前記第２インクスティックの前部傾斜面と当接させることと、
前記当接させたインクスティック上のガイドを前記供給チャネル上のガイドレールと嵌合させることと、
前記第１および第２インクスティックを前記インク装填装置の溶融端部へ押入することと、を包含する方法。
【請求項７】
相変化インク画像形成機に使用するためのインクスティックセットであって、
第１および第２インクスティックであって、各々が、
前面および後面および上面であって、該上面が、該前面の上縁から後方オフセットした前縁と、該後面の上部から少なくとも部分的に後方オフセットした後縁とを有する、前面および後面および上面と、
前記前面の上縁と前記上面の前縁との間に延在する前部傾斜面と、
前記後面の上縁と前記上面の後縁との間に延在する後部傾斜面であって、該後縁が、前記インク装填装置の挿入孔キーに対して相補的であるキーを含む、後部傾斜面と、
を含む第１および第２インクスティック、を包含し、
前記第１スティックの前記前部傾斜面が第１挿入孔を確認する目印マークを含み、該第１インクスティックの前記キーが該第１挿入孔の前記挿入孔キーに対して相補的であり、
前記第２インクスティックの前記前部傾斜面が第２挿入孔に対応する目印マークを含み、該第２インクスティックの前記キーが該第２挿入孔の前記挿入孔キーに対して相補的である、セット。
【請求項８】
請求項７に記載のインクスティックセットであって、前記インスティックの前記後縁の少なくとも部分的に後方オフセットした前記部分が、前記キーを含む、インクスティックセット。
【請求項９】
請求項８に記載のインクスティックセットであって、少なくとも部分的に後方オフセットした前記部分の前記後縁に沿った位置が、前記インク装填装置の対応する挿入孔の位置に対応する、インクスティックセット。
【請求項１０】
相変化インクジェットプリンタの多数のインクスティックセットであって、
スティックの前後端部のうち共通する端部と位置および形状が概ね同一であるように、いずれの１セットのカラーキー機構も、セット間で概ね同一であって該スティックの長さにより区別され、
各インクスティックセットの各スティックが、
前面および後面および上面であって、該上面が、該前面の上縁から後方オフセットした前縁と、該後面の上縁から少なくとも部分的に後方オフセットした後縁とを有する、前面および後面および上面と、
前記前面の上縁と前記上面の前縁との間に延在する前部傾斜面と、
前記後面の上縁と前記上面の後縁との間に延在する後部傾斜面であって、該後縁が、インク装填装置の挿入孔キーに対して相補的であるキーを含む、後部傾斜面と、
を包含し、
第１インクスティックの前記前部傾斜面が第１挿入孔を確認する目印マークを含み、該第１インクスティックの前記キーが該第１挿入孔の前記挿入孔キーに対して相補的であり、
第２インクスティックの前記前部傾斜面が第２挿入孔に対応する目印マークを含み、該第２インクスティックの前記キーが該第２挿入孔の前記挿入孔キーに対して相補的である、多数のインクスティックセット。
【手続補正２】
【補正対象書類名】明細書
【補正対象項目名】０００９
【補正方法】変更
【補正の内容】
【０００９】
別の実施形態において、前記前部傾斜面が、前記インクスティックボデーの長手軸に対して少なくとも４５°である角度に形成される、こととしても好適であるし、更に、前記前部傾斜面上に形成された目印マークを包含する、こととしても好適であるし、前記インクスティックの前記後縁の少なくとも部分的に後方にオフセットした前記部分が、前記キーを含む、こととしても好適であるし、前記インクスティックボデーの底面及び横面の１つ又はそれ以上に沿って少なくとも部分的に延在し、前記インクスティックの長手軸に概ね平行に延在する少なくとも１つのガイドを含む、こととしても好適である。
【手続補正３】
【補正対象書類名】明細書
【補正対象項目名】００１０
【補正方法】変更
【補正の内容】
【００１０】
別の実施例では、相変化インク画像形成機のインク装填装置にインクスティックを供給する方法は、インク装填装置の供給チャネルに第１インクスティックを挿入することを包含する。次に、第２インクスティックが供給チャネルに挿入される。すると第１インクスティックの後側の下方傾斜面が、第２インクスティックの前側の上方傾斜面と当接する。当接したインクスティック上のガイドを供給チャネル上のガイドレールと嵌合させる。当接したインクスティックは次に、インク装填装置の溶融端部へ押入される。
【手続補正４】
【補正対象書類名】明細書
【補正対象項目名】００１３
【補正方法】変更
【補正の内容】
【００１３】
また別の実施例では、相変化インク画像形成機に使用するためのインクスティックセットは、第１および第２インクスティックを包含する。第１および第２インクスティックはそれぞれ前面と後面と上面とを有し、上面は、前面の上縁から後方オフセットした前縁と、後面の上部から少なくとも部分的に後方オフセットした後縁とを有する。前面の上縁と上面の前縁との間には前部傾斜面が延在する。後面の上縁と上面の後縁との間には後部傾斜面が延在する。後縁は、インク装填装置の挿入孔キーと相補的であるキーを含む。第１スティックの前部傾斜面は、第１挿入孔を確認する目印マークを含み、第１インクスティックのキーは第１挿入孔の挿入孔キーと相補的である。第２インクスティックの前部傾斜面は、第２挿入孔に対応する目印マークを含み、第２インクスティックのキーは、第２挿入孔の挿入孔キーと相補的である。また、別の実施形態では、前記インスティックの前記後縁の少なくとも部分的に後方オフセットした前記部分が、前記キーを含む、こととしても好適であるし、少なくとも部分的に後方オフセットした前記部分の前記後縁に沿った位置が、前記インク装填装置の対応する挿入孔の位置に対応する、こととしても好適である。
【手続補正５】
【補正対象書類名】明細書
【補正対象項目名】００１４
【補正方法】変更
【補正の内容】
【００１４】
さらに別の実施例では、相変化インクジェットプリンタの多数のインクスティックセットであって、スティックの前後端部のうち共通する端部と位置および形状が概ね同一であるように、いずれの１セットのカラーキー機構も、セット間で概ね同一であって該スティックの長さにより区別され、各インクスティックセットの各スティックが、前面および後面および上面であって、該上面が、該前面の上縁から後方オフセットした前縁と、該後面の上縁から少なくとも部分的に後方オフセットした後縁とを有する、前面および後面および上面と、前記前面の上縁と前記上面の前縁との間に延在する前部傾斜面と、前記後面の上縁と前記上面の後縁との間に延在する後部傾斜面であって、該後縁が、インク装填装置の挿入孔キーに対して相補的であるキーを含む、後部傾斜面と、を包含し、第１インクスティックの前記前部傾斜面が第１挿入孔を確認する目印マークを含み、該第１インクスティックの前記キーが該第１挿入孔の前記挿入孔キーに対して相補的であり、第２インクスティックの前記前部傾斜面が第２挿入孔に対応する目印マークを含み、該第２インクスティックの前記キーが該第２挿入孔の前記挿入孔キーに対して相補的である。